【手続補正書】
【提出日】平成23年1月6日(2011.1.6)
【手続補正１】
【補正対象書類名】明細書
【補正対象項目名】００３７
【補正方法】変更
【補正の内容】
【００３７】
［経路切替部］
経路切替部１０は、入力部１での印刷内容設定操作ステップにおいて片面印刷を選択した場合には、給紙部５から搬送路Ｒを経てカット部９に到達して、カット部９において先端がカットされた用紙の搬送先を、排紙トレイ１４方向に向かうように第１経路Ｒ１に切替え、印刷内容設定操作ステップにおいて両面印刷を選択した場合には、用紙の搬送先を折り目形成部１１方向に向かうように第２経路Ｒ２に切替えるものである。このような経路切替部１０は、図示されていないが、例えば、モータと、そのモータにより搬送面中において回動されるウィングとで構成され、ウィングの回動方向により搬送先を所定の２方向のいずれか一方に指定するものを使用することができる。
【手続補正２】
【補正対象書類名】明細書
【補正対象項目名】００４５
【補正方法】変更
【補正の内容】
【００４５】
本発明のプリンタは、上述のように、それぞれは既知の構成要素を所定の順序に配置結合してなるものである。しかし、このような多くの構成要素を単に羅列する場合は、装置長が非常に長くなり、大型化を避けることができない。また、各部の制御機能を一つの制御部２に集中することは、制御線の接続作業が煩雑になるばかりでなく、各部のメンテナンスを独立して行うことはできない。そこで、本発明の最も好ましい実施例では、上記制御部２の各部を制御するドライバのうち、独立してメンテナンスを行うのに適するものは、それぞれを当該ドライバにより制御されるものの中に収納してある。すなわち、例えば、印刷ドライバ２４は印刷部７に、用紙カットドライバ２５はカット部９に、経路切替ドライバ２７は経路切替部１０に、折り目形成ドライバ２７は折り目形成部１１に、糊付けドライバ２８は糊付け部１２に、二つ折り・貼付ドライバ２９は二つ折り・貼付部１３のそれぞれの中に収容されている。
これにより、いずれかの部分に故障が生じた場合、あるいは点検が必要になった場合は、当該部分のみを全体から切り離して、保守点検、修理、交換などを容易に行うことができ、切り離している間は、代替品を用いて印刷を続行することができる利点がある。
【手続補正３】
【補正対象書類名】明細書
【補正対象項目名】００４７
【補正方法】変更
【補正の内容】
【００４７】
弛み付与部８は、図４，図６−８に示すように、印刷部７の上側に設けてある用紙搬送ローラｒ３と、その用紙搬送ローラから離れた二つ折り・貼付ユニットＢの上側に設けてあるドライブローラｄｒ４とピンチローラｐｒ４からなる搬送ローラｒ４とを有している。搬送ローラｒ２は、二つ折り・貼付ユニットＢのカット部９、折り目形成部１１、二つ折り貼付部１３のいずれかが動作中の時は、それが終了するまでの間、回転を停止されて、後続する用紙Ｐを待機空間８ｓにプールする。印刷ユニットＡの二つ折り・貼付ユニットＢの上方に設けてある待機空間８ｓ内で、搬送ローラｒ３とｒ４のニップ部を結ぶ最短距離からＵ字形に最大に膨らんだ最長距離までの間で、印刷された用紙Ｐの保留長さが可変である。
【手続補正４】
【補正対象書類名】明細書
【補正対象項目名】００５０
【補正方法】変更
【補正の内容】
【００５０】
図１０ないし図１３に基づいて、折り目形成部１１について説明する。図１０は、折り目形成部１１の全体構成を、用紙搬送方向に沿って見た場合の正面図であり、（ａ）は折り目形成ローラが用紙搬送面の幅方向の右側に存在する時の状態を、（ｂ）は反対の左側に存在する時の状態を示す。図１１は図１０（ｂ）のＡ−Ａ線断面図、図１２は折り目形成ローラを保持するホルダの斜視図である。
【手続補正５】
【補正対象書類名】明細書
【補正対象項目名】００６４
【補正方法】変更
【補正の内容】
【００６４】
［印刷ユニット側の動作］
このプリンタを使用する場合は、電源を投入すると、まず、システムプログラムが起動して装置の初期化及びチェック（Ｓ１１、Ｓはステップ。）が行われる。そのチェック対象にはロール紙ストッカー５１のロール紙の有無、そのロール紙の先端が印刷部７の後方に存在するように用紙がセットされているか否かも含まれる（Ｓ１２）。チェックの結果は、表示部４に表示される（Ｓ１３，Ｓ１４）。チェック結果がＯＫと表示されたら、入力部１の図２に示された操作１−６により、又は外部入力部１´からの入力を利用して、印刷内容の設定を行う（Ｓ１５）。すなわち、片面印刷か両面印刷の選択、出力サイズの選択又は指定、レイアウトの指定又は設定、印刷枚数設定、そして、設定内容の確認を表示部４を見て行う。そして、表示部の確認ボタンをタッチ又はクリックして確認動作をすると、印刷内容が確定され、記憶部３のＲＡＭにその印刷内容のデータが格納される。また、確認動作に基づき、制御部２に印刷開始指令が入力される（Ｓ１６においてＹ）ので、制御部２は給紙部５及び用紙搬送部６に制御信号を与えて、用紙搬送を開始させる（Ｓ１７）。これと同時に、印刷部７により用紙の所定位置にマーカを印刷させ、引き続いて、記憶部３に格納された印刷内容のデータに基づいて所定内容を印刷する（Ｓ１９）。１枚分の印刷を終了するたびに、指定枚数の印刷を終了したか否かを調べ（Ｓ１１０）、指定枚数まで終了したときは、マーカ印刷（Ｓ１１１）をした後、給紙部５及び用紙搬送部６に対する制御を止める（Ｓ１１２）。
【手続補正６】
【補正対象書類名】明細書
【補正対象項目名】００６６
【補正方法】変更
【補正の内容】
【００６６】
カット終了後、二つ折り・貼付けユニット側における用紙搬送を再開し（Ｓ２４）、搬送されてくる用紙に印刷された２回目のマーカを検知したか否かを監視する（Ｓ２５）。２回目のマーカを検知すると、制御部２は、マーカ検知信号入力時点からそのマーカがマーカセンサ設置位置よりカット部のカッター設置位置に到達するのに必要な長さ（所定量ｎ２）を搬送した後、二つ折り・貼付けユニットＢ側における用紙搬送を一時停止（Ｓ２６）すると同時に、カット部９を動作させて、その用紙をそのマーカ印刷位置においてカットする（Ｓ２７）。これにより、それまで搬送されてきた用紙（印刷物）をカットして、所定長の印刷物の後端を形成したことになる。
１枚分の印刷物がカットされた後は、用紙搬送を再開して（Ｓ２８）、所定枚数の裁断を終了したか否かを調べる（Ｓ２９）。未終了の場合はステップＳ２２に戻る。所定枚数の裁断を終了したときは、カットされた用紙を最終マーカがマーカセンサにより検知されるまで、用紙を所定量（ｎ３）搬送した後、搬送を止め（Ｓ２１０）。用紙をカットして終了する。
【手続補正７】
【補正対象書類名】明細書
【補正対象項目名】００６８
【補正方法】変更
【補正の内容】
【００６８】
［パンチング］  図２０参照
パンチング部１５は、図１６に示すように、プリンタが両面印刷モードの際に機能するようになっている（Ｓ３１）。前記マーカセンサが最初のマーカを検知すると、用紙がその最初のマーカ検知時点から所定量ｎ２搬送されたとき、すなわち、カットされた用紙の先端から所定距離後方に離れた位置がパンチング部１５のパンチャーに対向した時（Ｓ３２においてＹ）、二つ折り・貼付けユニットＢ側における用紙搬送を一時停止（Ｓ３３）して、パンチャーを駆動し、その用紙の所定位置に前部パンチ孔を開ける（Ｓ３４）。
最初のパンチングが終了すると、続いて、二つ折り・貼付けユニット側の用紙搬送が再開され（Ｓ３５）、前記マーカセンサが２回目のマーカを検知すると、用紙がその２回目のマーカ検知時点から所定量（ｎ２−ｎ１）搬送されたとき、すなわち、カットされた用紙の後端から所定距離前方に離れた位置がパンチング部１５のパンチャーに対向した時（Ｓ３６においてＹ）、二つ折り・貼付けユニットＢ側における用紙搬送を一時停止（Ｓ３７）して、パンチャーを駆動し、その用紙の所定位置に後部パンチ孔を開ける（Ｓ３８）。
２回目のパンチングが終了すると、二つ折り・貼付けユニット側の用紙搬送が再開され（Ｓ３９）、所定枚数の印刷が終了したか否かを調べ（Ｓ４０）、未終了の場合は、ステップＳ３２に戻り、所定枚数の印刷が終了するまで、Ｓ３２−Ｓ４０の制御が繰り返される。
【手続補正８】
【補正対象書類名】明細書
【補正対象項目名】００６９
【補正方法】変更
【補正の内容】
【００６９】
［折り目形成］    折り目形成    図２１参照
両面印刷モードにおいて、マーカセンサにより両面印刷物の最初のマーカが検知された時点から所定量ｎ４が搬送された時、すなわち、第２経路Ｒ２に進行した印刷物の長手方向中間位置が折り目形成部１１の折り目形成位置に到達したときは、二つ折り・貼付けユニット側における用紙搬送を一時停止する（Ｓ４２）。そして、引き続き、上記折り目形成部１１の押し付けローラ１１ｉを介して、かつ、ソフトランディング方式の採用により幅方向のずれを生じることなく、その印刷物の長手方向中間位置にその長手方向に直角な直線に正確に沿った折り目を形成する（Ｓ４３）。マーカセンサにより最初のマーカが検知された時点を用紙搬送部の駆動モータに与えられるパルス数の計数起算点とすることに代えて、折り目形成位置の手前に先端センサを設置し、その先端検知時点をパルス数の計数起算点とすることもできる。もちろん、その場合、折り目形成のためのパルス数の基準値は異なる。
【手続補正９】
【補正対象書類名】明細書
【補正対象項目名】００７１
【補正方法】変更
【補正の内容】
【００７１】
［折り・貼付け］    図２３，２４参照
両面印刷物の最初のマーカが検知された時点から所定量ｎ６が搬送された時、すなわち、用紙に形成された折り目が二つ折り・貼付け部１３の二つ折り位置に到達したとき（Ｓ４７においてＹ）に、二つ折り・貼付け部１３が起動され、糊付けをされた又は糊付けをされている印刷物に対する二つ折り、二つ折りされた印刷物の先端へのプレス及び貼り付けが行われる（Ｓ４８）。ステップ４８の動作内容をさらに詳述すると、折り目を形成された印刷物の糊を付着されていない前半部分は、プラテンローラ１２１と糊付けローラ１２３の間のニップを通る垂直線に沿って二つ折り部を構成する一対のローラ１３１，１３２の側面を通過し、最下端の搬送ローラｒ６により下方に直進する。そして、その印刷物の折り目が二つ折り部の一対のローラ１３１，１３２のニップを通る水平線上に位置したとき、糊付け部１２の上側の搬送ローラｒ５はそれまでと同一方向の回転を継続して、印刷物の折り目よりも後半部分を下向き進行させるが、最下端の搬送ローラは逆転して折り目よりも前半部分を上向きに進行させる。
【手続補正１０】
【補正対象書類名】明細書
【補正対象項目名】００７３
【補正方法】変更
【補正の内容】
【００７３】
［排出］    図２５参照
プレス後の両面印刷物は、その後の貼付け部の一対の押圧ローラにより押圧され、排紙トレイ１４に排出される。プレス後の両面印刷物は、一対の押圧ローラにより全面に渡って均一に押圧されるため、片面印刷用紙を二つ折りして貼り合わせたものでも、排紙トレイ１４に排出された印刷物は、あたかも１枚の両面印刷物であるかのような外観を備えている。
【手続補正１１】
【補正対象書類名】明細書
【補正対象項目名】００７６
【補正方法】変更
【補正の内容】
【００７６】
Ａ      印刷ユニット
Ｂ      二つ折り・貼付ユニット
Ｃ      排紙部
１      入力部
２      制御部
３      記憶部
４      表示部
５      給紙部
６      用紙搬送部
７      印刷部
８      弛み付与部
９      カット部
１０    搬送経路切替部
１１    折り目形成部
１２    糊付け部
１２Ｃ  糊カートリッジ
１２１  プラテンローラ
１２２  接着テープ
１２３  糊付けローラ
１３    二つ折り・貼付部
１３ａ  二つ折り部
１３ｂ  プレス部
１３ｃ  貼付部
１４    排紙トレイ
１５  パンチング部
【手続補正１２】
【補正対象書類名】図面
【補正対象項目名】図１３
【補正方法】変更
【補正の内容】
【図１３】
2009166253.tif 000001
【手続補正１３】
【補正対象書類名】図面
【補正対象項目名】図２３
【補正方法】変更
【補正の内容】
【図２３】
2009166253.tif 000002
【手続補正１４】
【補正対象書類名】図面
【補正対象項目名】図２４
【補正方法】変更
【補正の内容】
【図２４】
2009166253.tif 000003
【手続補正１５】
【補正対象書類名】図面
【補正対象項目名】図２５
【補正方法】変更
【補正の内容】
【図２５】
2009166253.tif 000004
【手続補正１６】
【補正対象書類名】図面
【補正対象項目名】図２６
【補正方法】変更
【補正の内容】
【図２６】
2009166253.tif 000005